(57)【要約】【課題】上下方向の積み重ねに対する強度を維持しつつ収納物の取出しが容易な収納箱を提供する。【解決手段】収納箱が、収納物が収納されて取り出される側方を向いた開口を有する箱本体と、上記開口の上縁から延在し下方に折り曲げられる上蓋と、上記開口の下縁から延在し上方に折り曲げられて、上縁が上記上蓋の下縁に接する下蓋とを備え、上記上蓋および上記下蓋は、上下に延びる折曲線でそれぞれ折り曲げられることにより形成される、それぞれ上蓋折曲部および下蓋折曲部を有し、上記上蓋および上記下蓋が、開口を塞ぐように折り曲げられたときに、上蓋折曲部の下縁は、下蓋折曲部の上縁と接した状態となる。【選択図】        図５
2014141283.tif 000002
【特許請求の範囲】
【請求項１】
収納物が収納されて取り出される側方を向いた開口を有する箱本体と、
前記開口の上縁から延在し下方に折り曲げられる上蓋と、
前記開口の下縁から延在し上方に折り曲げられて、上縁が前記上蓋の下縁に接する下蓋とを備え、
前記上蓋および前記下蓋は、上下に延びる折曲線でそれぞれ折り曲げられることにより形成される、それぞれ上蓋折曲部および下蓋折曲部を有し、
前記上蓋および前記下蓋が前記開口を塞ぐように折り曲げられたときに、該上蓋折曲部の下縁は、該下蓋折曲部の上縁と接した状態となることを特徴とする収納箱。
【請求項２】
前記上蓋折曲部は、前記下蓋折曲部と折曲位置又は折曲角度が異なることを特徴とする請求項１記載の収納箱。
【請求項３】
前記上蓋および前記下蓋が前記開口を塞ぐように折り曲げられたときに該上蓋および該下蓋が内側に折り曲げれられないように支持する支持部材をさらに備えたことを特徴とする請求項１又は２記載の収納箱。
【請求項４】
前記支持部材は、互いに異なる折曲位置又は折曲角度に折り曲げられた前記上蓋折曲部および前記下蓋折曲部の内面に接するように、該上蓋折曲部に接する箇所と該下蓋折曲部に接する箇所とで異なる形状を持つことを特徴とする請求項３記載の収納箱。
【請求項５】
前記支持部材の前記箱本体底壁に対する部位と該箱本体底壁との間に、該支持部材を該底壁上に直に置いたときと比べ該箱本体内の収納物の引出し時の摩擦力を低減する低摩擦部材を備えたことを特徴とする請求項３又は４記載の収納箱。
【請求項６】
前記開口の左右の側縁からそれぞれ延在し前記上蓋および前記下蓋を被う向きに折り曲げられた左扉および右扉をさらに備えたことを特徴とする請求項１から５のうちのいずれか１項記載の収納箱。
【請求項７】
前記左扉および前記右扉が、互いに向き合う端縁側であって、上下のうちの少なくとも下側の各隅部分に、前記上蓋および前記下蓋を露出させる切欠きを有することを特徴とする請求項６記載の収納箱。
【請求項８】
前記箱本体が、該箱本体上壁の、前記上蓋を該上壁の上に折り返した状態における該上蓋と重なる位置に、穴、又は、力が加えられて穴が形成される被開部を有し、
前記上蓋が、該上蓋を前記上壁の上に折り返した状態において前記穴に入り込んで該上蓋を該上壁上に折り返した状態に保持する保持片又は力を加えられて折れ曲がり該保持片として作用する折曲部を有することを特徴とする請求項１から７のうちのいずれか１項記載の収納箱。
【発明の詳細な説明】
【技術分野】
【０００１】
本発明は、収納箱に関する。
【背景技術】
【０００２】
従来、上下それぞれに開いた筒状の胴体部と、この胴体部の上下の開口を塞ぐ２つの蓋部とが、バンドで締結されて箱となる収納用の紙製箱が知られている（例えば、特許文献１参照）。
【０００３】
また、筒状の胴体部と、この胴体部の上下の開口を塞ぐ２つの蓋部とを有する収納用の紙製箱が、１枚の段ボール紙の折曲げによって形成されることが知られている（例えば、特許文献２参照）。
【先行技術文献】
【特許文献】
【０００４】
【特許文献１】特開２００５−９６８０３号公報
【特許文献２】特開２００６−８１８３号公報
【発明の概要】
【発明が解決しようとする課題】
【０００５】
本発明は、上下方向の積み重ねに対する強度を維持しつつ収納物の取出しが容易な収納箱を提供することを目的とするものである。
【課題を解決するための手段】
【０００６】
請求項１の収納箱は、
収納物が収納されて取り出される側方を向いた開口を有する箱本体と、
上記開口の上縁から延在し下方に折り曲げられる上蓋と、
上記開口の下縁から延在し上方に折り曲げられて、上縁が上記上蓋の下縁に接する下蓋とを備え、
上記上蓋および上記下蓋は、上下に延びる折曲線でそれぞれ折り曲げられることにより形成される、それぞれ上蓋折曲部および下蓋折曲部を有し、
前記上蓋および下蓋が開口を塞ぐように折り曲げられたときに、上蓋折曲部の下縁は、下蓋折曲部の上縁と接した状態となることを特徴とする。
【０００７】
請求項２の収納箱は、請求項１の収納箱において、
上記上蓋折曲部は、上記下蓋折曲部と折曲位置又は折曲角度が異なることを特徴とする。
【０００８】
請求項３の収納箱は、請求項１又は２の収納箱において、
前記上蓋および下蓋が開口を塞ぐように折り曲げられたときに上記上蓋および上記下蓋が内側に折り曲げられないように支持する支持部材をさらに備えたことを特徴とする。
【０００９】
請求項４の収納箱は、請求項３の収納箱において、
上記支持部材は、互いに異なる折曲位置又は折曲角度に折り曲げられた上記上蓋折曲部および上記下蓋折曲部の内面に接するように、上蓋折曲部に接する箇所と下蓋折曲部に接する箇所とで異なる形状を持つことを特徴とする。
【００１０】
請求項５の収納箱は、請求項３又は４の収納箱において、
上記支持部材の上記箱本体底壁対する部位と箱本体底壁との間に、支持部材を底壁上に直に置いたときと比べ箱本体内の収納物の引出し時の摩擦力を低減する低摩擦部材を備えたことを特徴とする。
【００１１】
請求項６の収納箱は、請求項１から５の収納箱において、
上記開口の左右の側縁からそれぞれ延在し上記上蓋および上記下蓋を被う向きに折り曲げられた左扉および右扉をさらに備えたことを特徴とする。
【００１２】
請求項７の収納箱は、請求項６の収納箱において、
上記左扉および上記右扉が、互いに向き合う端縁側であって、上下のうちの少なくとも下側の各隅部分に、上記上蓋および上記下蓋を露出させる切欠きを有することを特徴とする。
【００１３】
請求項８の収納箱は、請求項１から７の収納箱において、
上記箱本体が、箱本体上壁の、上記上蓋を上壁の上に折り返した状態における上蓋と重なる位置に、穴、又は、力が加えられて穴が形成される被開部を有し、
上記上蓋が、上蓋を上記上壁の上に折り返した状態において上記穴に入り込んで上蓋を上壁上に折り返した状態に保持する保持片又は力を加えられて折れ曲がり該保持片として作用する折曲部を有することを特徴とする。
【発明の効果】
【００１４】
請求項１の収納箱は、収納物の取出しを容易にしつつ、上下方向の積み重ねに対する強度が維持される。
【００１５】
請求項２の収納箱は、請求項１の収納箱において上記上蓋折曲部と上記下蓋折曲部との間で折曲位置や折曲角度が互いに一致している場合と比較して、上記上蓋折曲部の下縁と上記下蓋折曲部の上縁とが一層確実に上下に突き当たる。
【００１６】
請求項３の収納箱は、請求項１又は２の収納箱が上記支持部材を備えていない場合と比較して、上記上蓋の下縁と上記下蓋の上縁とが一層確実に上下に突き当たる。
【００１７】
請求項４の収納箱によれば、請求項３の収納箱において上記支持部材の上蓋折曲部に接する箇所と下蓋折曲部に接する箇所の形状が互いに同一である場合と比較して、上記上蓋折曲部と上記下蓋折曲部との間で折曲位置や折曲角度を確実に異ならせることができる。
【００１８】
請求項５の収納箱は、請求項３又は４の収納箱において、上記支持部材の上記箱本体底壁に対する部位が上記底壁上に直に置かれる場合と比較して、収納物の取出しがさらに容易である。
【００１９】
請求項６の収納箱は、請求項１から５の収納箱が上記左扉および上記右扉を備えていない場合と比較して、上記上蓋の下縁と上記下蓋の上縁とが一層確実に上下に突き当たる。
【００２０】
請求項７の収納箱は、請求項６の収納箱において上記左扉および上記右扉が上記切欠きを有していない場合と比較して、収納物の取出しがさらに容易である。
【００２１】
請求項８の収納箱は、請求項１から７の収納箱において上記箱本体が上記穴又は上記被開部を有さず上記上蓋が上記保持片又は上記折曲部を有していない場合と比較して、収納物の取出しがさらに容易である。
【図面の簡単な説明】
【００２２】
【図１】本発明の収納箱の実施形態を示す外観斜視図である。
【図２】図１に示す段ボール箱の、収納物が出し入れされる開口が開かれた状態を示す図である。
【図３】図２に示す段ボール箱の展開図である。
【図４】図２に示す段ボール箱に緩衝材が収められている様子を示す図である。
【図５】開口部を塞いでいる上蓋および下蓋を示す図である。
【図６】上蓋折曲部および下蓋折曲部を拡大して示す図である。
【図７】上蓋折曲部と下蓋折曲部とで、箱本体の内側に向かって折り曲げられるときの折曲角度が互いに異なっている様子を示す模式図である。
【図８】上蓋と下蓋とで位置のずれが起きたときに圧縮荷重を支える折曲げ構造の別例を示す図である。
【図９】粘着テープで貼り合わされた左扉および右扉の、互いに向き合う下側の隅部分に設けられている切欠きの周辺を示す拡大図である。
【図１０】粘着テープで貼り合わされた左扉および右扉の、互いに向き合う上側の隅部分に設けられている切欠きの周辺を示す拡大図である。
【図１１】開姿勢に保持されている上蓋を示す図である。
【図１２】上蓋を開姿勢に保持している折曲部と被開部とを拡大して示す図である。
【発明を実施するための形態】
【００２３】
以下図面を参照して本発明の実施の形態を説明する。
【００２４】
図１は、本発明の収納箱の実施形態を示す外観斜視図である。
【００２５】
この図１に示す収納箱１は、段ボール箱１００と、緩衝材２００とを備えている。この緩衝材２００は、発泡スチロール製であって、収納物Ｔの上下それぞれと段ボール箱１００の内面との間に挟まれる位置に配置される。また、下側の緩衝材２００と段ボール箱１００の内面との間には、後述の低密度ポリエチレンシート３０２（図４参照）が挟まれている。緩衝材２００は、本発明にいう支持部材の一例に相当する。
【００２６】
尚、この収納箱１は、段ボール箱１００に代えて、例えば、段ボール以外の紙製の箱や木製の箱や樹脂製の箱を備えているものであっても良い。
【００２７】
また、収納物Ｔの上下それぞれと段ボール箱１００の内面との間に挟まれる支持部材としては、発泡スチロール製の緩衝材２００に限るものではない。この支持部材は、発泡スチロール以外の例えばゴム製等の緩衝材であっても良く、あるいは、段ボール製の被覆材等であっても良い。
【００２８】
まず、段ボール箱１００について説明する。
【００２９】
段ボール箱１００は、上方から見たときの形状が、ほぼ四角形であるものの四角形の４つの角が落されて角数からいうと八角形の箱である。
【００３０】
図２は、図１に示す段ボール箱の、収納物が出し入れされる開口が開かれた状態を示す図である。
【００３１】
この段ボール箱１００は、手前側と奥側が開く構造となっており、その開いたときの開口を塞ぐ構造部分を除く箱本体１１０を備えている。この箱本体１１０は、上壁１１１と底壁１１２と左右一対の側壁１１３を有する。この箱本体１１０が、本発明にいう箱本体の一例に相当する。
【００３２】
上壁１１１と底壁１１２は、各々、四角形の４つの角が落された八角形の壁である。
【００３３】
また、上壁１１１の中央には、力が加えられるとミシン目が破れて四角形の穴が開く被開部１１１ａが設けられている。
【００３４】
左右一対の側壁１１３は、上壁１１１の左右の縁と底壁１１２の左右の縁とを繋いでいる。ただし、上壁１１１の角が落された部分と、底壁１１２の角が落された部分とについては、側壁１１３で繋がれてはおらず開口１１０ａの縁の一部となっている。
【００３５】
この箱本体１１０は、これら４つの壁で囲まれた四角筒形状を有しており、この箱本体１１０自体としては、図中手前側と奥側の２箇所が、側方に開いた開口１１０ａとなっている。段ボール箱１００は、以下に説明するように、これら２箇所の開口１１０ａを塞ぐ構成部分を有しているが、図２では、奥側の開口１１０ａが塞がれており手前側の開口１１０ａが開かれている。この構成部分は、２箇所の開口１１０ａについて同一であるので、以下では、図２で示されている手前側の開口１１０ａを例に挙げて説明する。
【００３６】
段ボール箱１００は、上蓋１１４と、下蓋１１５と、左扉１１６と、右扉１１７とを備えている。
【００３７】
上蓋１１４は、開口１１０ａの上縁のうちの、上壁１１１における角が落された部分以外の上縁部分１１０ａ＿１から延びている。上蓋１１４は、上縁部分１１０ａ＿１で下方に折り曲げられる。上蓋１１４が、本発明にいう上蓋の一例に相当する。
【００３８】
下蓋１１５は、開口１１０ａの下縁のうちの、底壁１１２における角が落された部分以外の下縁部分１１０ａ＿２から延びている。下蓋１１５は、下縁部分１１０ａ＿２で上方に折り曲げられて、上縁が上蓋１１４の下縁に接する。下蓋１１５が、本発明にいう下蓋の一例に相当する。
【００３９】
また、上蓋１１４には、力が加えられるとミシン目が破れてこの上蓋１１４から折れ曲がる折曲部１１４ａが設けられている。この折曲部１１４ａが、本発明にいう折曲部の一例に相当する。
【００４０】
この折曲部１１４ａは、上蓋１１４が上壁１１１に重なるまで折り返された開姿勢となったときに、後述するように、上蓋１１４を、上壁１１１に設けられた被開部１１１ａと協同して開姿勢に保持する役割を果たす。
【００４１】
左扉１１６および右扉１１７は、上記の開口１１０ａの左縁部分１１０ａ＿３および右縁部分１１０ａ＿４それぞれから延びている。左扉１１６および右扉１１７は、上蓋１１４および下蓋１１５が折り曲げられて開口１１０ａが閉じられた後、上蓋１１４および下蓋１１５を被う向きに折り曲げられる。また、左扉１１６および右扉１１７は、折り曲げられる際には、上壁１１１や底壁１１２における角が落された形状に沿って二段に折り曲げられる。左扉１１６および右扉１１７が、本発明にいう左扉および右扉の一例に相当する。
【００４２】
また、左扉１１６および右扉１１７の、折り曲げられたときに互いに向き合う端縁側の上下の各隅部分には、上蓋１１４および下蓋１１５を露出させる切欠き１１６ａ，１１７ａが設けられている。
【００４３】
上蓋１１４は左右一対の上蓋折曲部１１４ｂを有し、下蓋１１５は左右一対の下蓋折曲部１１５ｂを有している。
【００４４】
上蓋１１４は、この上蓋１１４を折り曲げた姿勢において上下に延びる左右一対の折曲線１１４ｃを有している。各上蓋折曲部１１４ｂは、上蓋１１４が各折曲線１１４ｃで折り曲げられて形成される。各上蓋折曲部１１４ｂは、上壁１１１の、角が落された部分の下に潜り込む形に箱本体１１０の内側に入り込み、上壁１１１を下から支える。また、この上蓋折曲部１１４ｂは、上壁１１１側の端部が折り曲げられて形成される端部折曲部１１４ｂ＿１を有している。上蓋折曲部１１４ｂが上壁１１１の、角が落された部分の下に潜り込んだときには、端部折曲部１１４ｂ＿１が上壁１１１の内面に接する。各上蓋折曲部１１４ｂが、本発明にいう上蓋折曲部の一例に相当する。
【００４５】
また、下蓋１１５も、その下蓋１１５を折り曲げた姿勢において上下に延びる左右一対の折曲線１１５ｃを有している。各下蓋折曲部１１５ｂは、下蓋１１５が各折曲線で折り曲げられて形成される。各下蓋折曲部１１５ｂは、底壁１１２の、角が落された部分に乗り上げる形に箱本体１１０の内側に入り込む。また、この下蓋折曲部１１５ｂは、底壁１１１側の端部が折り曲げられて形成される端部折曲部１１５ｂ＿１を有している。下蓋折曲部１１５ｂが上壁１１１の、角が落された部分に乗り上げたときには、端部折曲部１１５ｂ＿１が底壁１１２の内面に接する。各下蓋折曲部１１５ｂが、本発明にいう下蓋折曲部の一例に相当する。
【００４６】
上蓋折曲部１１４ｂおよび下蓋折曲部１１５ｂは、上蓋１１４と下蓋１１５とを折り曲げて開口１１０ａを塞いだとき、上蓋折曲部１１４ｂの下縁と下蓋折曲部１１５ｂの上縁とが互いに接した状態となる。
【００４７】
図３は、図２に示す段ボール箱の展開図である。
【００４８】
本実施形態の段ボール箱１００は、この図３に示す第１の段ボール部品１５０と第２の段ボール部品１６０との２つの部品で構成される。
【００４９】
第１の段ボール部品１５０は、上壁１１１、１つの側壁１１３、２つの上蓋１１４、１つの左扉１１６、および１つの右扉１１７を有している。第１の段ボール部品１５０の２つの上蓋１１４は、箱本体１１０の２つの開口１１０ａそれぞれの上部を塞ぐ役割をする。第１の段ボール部品１５０の左扉１１６は、一方の開口１１０ａの左部を塞ぐ役割をし、右扉１１７は、もう一方の開口１１０ａの右部を塞ぐ役割をする。また、この第１の段ボール部品１５０は、２つの上蓋１１４それぞれにつき２つずつ、計４つの上蓋折曲部１１４ｂを有している。さらに、各上蓋折曲部１１４ｂには、１つずつ端部折曲部１１４ｂ＿１が設けられている。
【００５０】
また、この第１の段ボール部品１５０における側壁１１３の、上壁１１１とは反対側の縁には、この第１の段ボール部品１５０を第２の段ボール部品１６０に接合するための接合部１５０ａが設けられている。
【００５１】
第２の段ボール部品１６０は、底壁１１２、１つの側壁１１３、２つの下蓋１１５、１つの左扉１１６、および１つの右扉１１７を有している。第２の段ボール部品１６０の２つの下蓋１１５は、箱本体１１０の２つの開口１１０ａそれぞれの下部を塞ぐ役割をする。第２の段ボール部品１６０の左扉１１６は、一方の開口１１０ａの左部を塞ぐ役割をし、右扉１１７は、もう一方の開口１１０ａの右部を塞ぐ役割をする。また、この第２の段ボール部品１６０は、２つの下蓋１１５それぞれにつき２つずつ、計４つの下蓋折曲部１１５ｂを有している。さらに、各下蓋折曲部１１５ｂには、１つずつ端部折曲部１１５ｂ＿１が設けられている。
【００５２】
また、この第２の段ボール部品１６０における側壁１１３の、底壁１１２とは反対側の縁には、この第２の段ボール部品１６０を第１の段ボール部品１５０に接合するための接合部１６０ａが設けられている。
【００５３】
第１の段ボール部品１５０の接合部１５０ａは、第２の段ボール部品１６０における底壁１１２の、側壁１１３とは反対側の縁に接合される。また、第２の段ボール部品１６０の接合部１６０ａは、第１の段ボール部品１５０における上壁１１１の、側壁１１３とは反対側の縁に接合される。そして、上壁１１１、底壁１１２、各側壁１１３相互間の境界で折り曲げられて、四角筒状の箱本体１１０（図２参照）が形成される。
【００５４】
尚、段ボール箱は、このように２つの部品を接合したものを折り曲げて構成される形態に限るものではない。段ボール箱は、例えば、一枚の段ボール紙を折り曲げて構成される形態であっても良く、あるいは、３つ以上の段ボール製の部品を接合したものを折り曲げて構成される形態であっても良い。
【００５５】
箱本体１１０は、前述の通り２つの開口１１０ａを有し、いずれかの開口１１０ａから、図１に示す緩衝材２００（図１参照）で上下を挟まれた収納物Ｔが収められる。
【００５６】
図４は、図２に示す段ボール箱に緩衝材が収められている様子を示す図である。
【００５７】
この図４では、収納物Ｔおよび上側の緩衝材２００は図示が省略され、下側の緩衝材２００が示されている。
【００５８】
上下の緩衝材２００は、いずれも、上方から見たときの外形が、段ボール箱１００の内面形状に応じて、四角形の４つの角が落された八角形となっている。段ボール箱１００に収納物Ｔが収められると、下側の緩衝材２００の外側面は、後述の低摩擦ポリエチレンシート３０２を間に挟んで段ボール箱１００の内面に接する。一方、上側の緩衝材２００の外側面は、段ボール箱１００の内面に直に接する。
【００５９】
また、緩衝材２００とともに収納物Ｔが収められ、下蓋１１５が閉じられると、下側の緩衝材２００の側面に下蓋１１５が低摩擦ポリエチレンシート３０２を間に挟んで当接する。さらに、下蓋１１５が折り曲げられて下蓋折曲部１１５ｂが形成されると、緩衝材２００の、角が落されて形成されている面取り部分に下蓋折曲部１１５ｂが低摩擦ポリエチレンシート３０２を間に挟んで当接する。
【００６０】
また、この図４では図示が省略されているが、各開口１１０ａにおいて、上蓋１１４が閉じられると、上側の緩衝材２００（図１参照）の側面に上蓋１１４が直に当接する。さらに、上蓋１１４が折り曲げられて上蓋折曲部１１４ｂが形成されると、上側の緩衝材２００の、角が落されて形成されている面取り部分に上蓋折曲部１１４ｂが直に当接する。
【００６１】
そして、左扉１１６および右扉１１７は、各開口１１０ａを塞ぐように折り曲げられたときの下蓋１１５および上蓋１１４、さらに、緩衝材２００に当接するよう形成された上蓋折曲部１１４ｂおよび下蓋折曲部１１５ｂに沿って二段に折り曲げられる。
【００６２】
このように折り曲げられて閉じられると左扉１１６および右扉１１７は、互いに向き合う端縁どうしが接する。そして、左扉１１６および右扉１１７の合わせ目が、図１に示すように、粘着テープ３０１で貼り合わされる。
【００６３】
尚、本実施形態では、閉じられた左扉１１６および右扉１１７の端縁どうしが互いに接する形態が例示されている。しかしながら、収納箱は、閉じられた左扉および右扉の端縁どうしが互いに離れている形態であっても良い。
【００６４】
収納物Ｔの、収納箱１からの取出しの際には、一方の開口１１０ａを塞いでいる左扉１１６、右扉１１７、上蓋１１４および下蓋１１５が開かれて、その開かれた開口１１０ａから収納物Ｔが緩衝材２００ごと側方に引き出される。
【００６５】
このように側方に開いた開口１１０ａから収納物Ｔが出し入れされる本実施形態の収納箱１は、例えば上方に開いた開口から収納物を出し入れする収納箱等と比べて収納物の出し入れが容易である。
【００６６】
ここで、本実施形態では、図４に示すように、収納物Ｔは、この収納物Ｔの重量がかかる下側の緩衝材２００と箱本体１００の内面との間に、低密度ポリエチレンシート３０２が挟まれた状態で収められる。
【００６７】
そして、収納物Ｔの引出し時に、この低密度ポリエチレンシート３０２と箱本体１００の内面との間に生じる摩擦力は、下側の緩衝材２００が底壁１１２上に直に置かれた場合の摩擦力よりも小さい。このため、下側の緩衝材２００が箱本体１００の内面に直に接する場合と比較して、開口１１０ａから収納物Ｔがスムーズに出し入れされる。この低密度ポリエチレンシート３０２が本発明にいう低摩擦部材の一例に相当する。
【００６８】
尚、低摩擦部材は、収納物Ｔの引出し時の摩擦力が、緩衝材等の支持部材が箱本体の底壁上に直に置かれたときの摩擦力よりも小さいものであれば、低密度ポリエチレン以外の樹脂製のシートや紙製のシート等であっても良い。
【００６９】
ここで、収納物Ｔが収納された収納箱１（図１参照）は、複数個が上下方向に積み重ねられることがある。このように積み重ねられた場合、下側の収納箱１には、この収納箱１を上下方向に押しつぶそうとする圧縮荷重がかかる。
【００７０】
この収納箱１では、収納物Ｔの出し入れ口となる開口部１１０ａ（図２参照）が、前述したように出入れの容易化を図るために側方に開かれるようになっている。このように側方に開かれる開口１１０ａは、上記の圧縮荷重に対する収納箱１の耐力を弱めがちとなる。
【００７１】
収納箱１は、前述したように、上方から見たときの形状が八角形となった八角柱形状を有している。四角柱にくらべて角数が多い八角柱等の多角柱は、四角柱よりも圧縮荷重に対する強度が高い。本実施形態の収納箱１は、八角柱形状を有することで、圧縮荷重に対する強度が、単純な四角柱形状で側方に開く開口を有する収納箱に比べて高められている。
【００７２】
さらに、本実施形態の収納箱１では、各開口部１１０ａを塞いだときの上蓋１１４および下蓋１１５がこの圧縮荷重を支える役割の一部を担っている。
【００７３】
図５は、開口部を塞いでいる上蓋および下蓋を示す図である。
【００７４】
上蓋１１４は上壁１１１から下方に折り曲げられ、下蓋１１５は底壁１１２から上方に折り曲げられる。そして、下蓋１１５の上縁と上蓋１１４の下縁とが互いに接する。この下蓋１１５の上縁と上蓋１１４の下縁との突き当てにより、上蓋１１４と下蓋１１５とは互いに協同して、上壁１１１から加えられる圧縮荷重を支える。
【００７５】
ここで、仮に、圧縮荷重が加わったときに上蓋１１４や下蓋１１５が箱本体１１０の内側に倒れ込んでしまうと、下蓋１１５の上縁と上蓋１１４の下縁との突き当てが維持されなくなり開口１１０ａにおいて圧縮荷重を支え切れなくなる恐れがある。
【００７６】
本実施形態では、上蓋１１４が箱本体１１０の内側に向かって折り曲げられて上蓋折曲部１１４ｂが形成され、下蓋１１５が箱本体１１０の内側に向かって折り曲げられて下蓋折曲部１１５ｂが形成される。本実施形態では、上蓋１１４、下蓋１１５に、上蓋折曲部１１４ｂ、下蓋折曲部１１５ｂが形成されることにより、上蓋１１４や下蓋１１５の、箱本体１１０の内側への倒れ込みが阻止される。
【００７７】
図６は、上蓋折曲部および下蓋折曲部を拡大して示す図である。
【００７８】
前述したように上蓋折曲部１１４ｂは、上壁１１１の、角が落された部分の下に潜り込む形に箱本体１１０の内側に入り込む。そして、この上蓋折曲部１１４ｂの上壁１１１側の端部が折り曲げられてなる端部折曲部１１４ｂ＿１が上壁１１１の内面に接する。
【００７９】
下蓋折曲部１１５ｂは、底壁１１２の、角が落された部分に乗り上げる形に箱本体１１０の内側に入り込む。そして、この下蓋折曲部１１５ｂの底壁１１２側の端部が折り曲げられてなる端部折曲部１１５ｂ＿１が底壁１１２の内面に接する。
【００８０】
図６では、上壁１１１の下に潜り込んだ上蓋折曲部１１４ｂが示されている。下蓋折曲部１１５ｂと底壁１１２との関係は、上下を逆にしたときの上蓋折曲部１１４ｂと上壁１１１との関係と同じである。
【００８１】
ここで、上蓋折曲部１１４ｂの下縁と下蓋折曲部１１５ｂの上縁とは、図６に示すように互いに接している。
【００８２】
そして、端部折曲部１１４ｂ＿１が上壁１１１の内面に接した状態で上壁１１１の下に潜り込んだ上蓋折曲部１１４ｂが、上蓋１１４を、箱本体１１０の内側に倒れ込まないように支持する働きをする。また、端部折曲部１１５ｂ＿１が底壁１１２の内面に接した状態で底壁１１２に乗り上げた下蓋折曲部１１５ｂが、下蓋１１５を、箱本体１１０の内側に倒れ込まないように支持する働きをする。これら上蓋折曲部１１４ｂおよび下蓋折曲部１１５ｂによる支持によって、下蓋１１５の上縁と上蓋１１４の下縁との突き当てが維持され、延いては、圧縮荷重に対する収納箱１の耐力が維持される。
【００８３】
尚、上蓋折曲部と下蓋折曲部は、本実施形態とは異なり、端部折曲部を有しておらず、縁が直に上壁１１１や底壁１１２の内面に接するものであっても良い。
【００８４】
また、本実施形態では、上蓋１１１が折り曲げられてなる上蓋折曲部１１４ｂと、下蓋１１２が折り曲げられてなる下蓋折曲部１１５ｂとで、箱本体１１０の内側に向かって折り曲げられるときの折曲角度が互いに異なっている。
【００８５】
図７は、上蓋折曲部と下蓋折曲部とで、箱本体の内側に向かって折り曲げられるときの折曲角度が互いに異なっている様子を示す模式図である。
【００８６】
折曲角度が互いに異なっていることで、上蓋折曲部１１４ｂの下縁と下蓋折曲部１１５ｂの上縁とは、この図７に示すように互いに交差した状態で接する。
【００８７】
そして、上蓋１１４の上蓋折曲部１１４ｂ以外の部分の下縁の位置と、下蓋１１５の下蓋折曲部１１５ｂ以外の部分の位置とが多少ずれたとしても、上蓋折曲部１１４ｂの下縁と下蓋折曲部１１５ｂの上縁とが互いの交差部分で確実に上下に突き当たる。これにより、互いに突き当たったこの交差部分で圧縮荷重が支えられることとなる。
【００８８】
本実施形態では、上蓋１１４と下蓋１１５とで上記のような位置のずれが起きたとしても、この交差部分による支えによって圧縮荷重に対する収納箱１の耐力が維持される。
【００８９】
また、本実施形態では、上蓋折曲部１１４ｂと下蓋折曲部１１５ｂとの折曲角度の差異が、上蓋折曲部１１４ｂが当接する上側の緩衝材２００と下蓋折曲部１１５ｂが当接する下側の緩衝材２００との形状の差異に対応している。即ち、上側の緩衝材２００と下側の緩衝材２００とでは、各折曲部が当接する面取り部分における面取り角度が互いに異なっている。下蓋折曲部１１５ｂの折曲角度は下側の緩衝材２００における面取り角度で規定され、上蓋折曲部１１４ｂの折曲角度は上側の緩衝材２００における面取り角度で規定される。これにより、上蓋折曲部１１４ｂと下蓋折曲部１１５ｂとの折曲角度の差異が実現されている。
【００９０】
ここで、本実施形態とは異なり、上蓋折曲部１１４ｂと下蓋折曲部１１５ｂに代わる次のような折曲げ構造によって、上蓋１１４と下蓋１１５とで上記のような位置のずれが起きたときの圧縮荷重の支えを実現しても良い。
【００９１】
図８は、上蓋と下蓋とで位置のずれが起きたときに圧縮荷重を支える折曲げ構造の別例を示す図である。
【００９２】
この別例では、上蓋１１４の下縁に、箱本体１１０の内側に向かって第１の折曲げ線１１４ｂ’＿１で切片状に折り曲げられる上蓋折曲部１１４ｂ’が設けられている。
【００９３】
そして、下蓋１１５の上縁に、この縁が延びる方向について、第１の折曲げ線１１４ｂ’＿１とは位置がずれた第２の折曲げ線１１５ｂ’＿１で切片状に折り曲げられる下蓋折曲部１１５ｂ’が設けられている。
【００９４】
この別例でも、上蓋１１４が折り曲げられてなる上蓋折曲部１１４ｂ’の下縁と、下蓋１１５が折り曲げられてなる下蓋折曲部１１５ｂ’の上縁とは、図８に示すように互いに交差するようになる。
【００９５】
そして、上蓋１１４の上蓋折曲部１１４ｂ’以外の部分の下縁の位置と、下蓋１１５の下蓋折曲部１１５ｂ’以外の部分の上縁の位置が互いにずれたときでも、上蓋折曲部１１４ｂ’と下蓋折曲部１１５ｂ’との交差部分によって圧縮荷重が支えられることとなる。
【００９６】
以上で、折曲げ構造の別例についての説明を終了し、本実施形態についての説明に戻る。
【００９７】
本実施形態では、図１に示すように上下の緩衝材２００が、上蓋１１４や下蓋１１５の内面に接している。これらの緩衝材２００も、上蓋１１４や下蓋１１５を、箱本体１１０の内側に倒れ込まないように支持する役割を担っている。本実施形態では、この緩衝材２００による支持も、下蓋１１５の上縁と上蓋１１４の下縁との突き当ての維持に寄与し、延いては、圧縮荷重に対する収納箱１の耐力の維持に寄与している。
【００９８】
また、本実施形態では、前述したように、左扉１１６および右扉１１７は、上蓋１１４および下蓋１１５が折り曲げられて開口１１０ａが閉じられた後、上蓋１１４および下蓋１１５を被う向きに折り曲げられて閉じられる。そして、閉じられた左扉１１６および右扉１１７が、上蓋１１４および下蓋１１５を外側から押える。
【００９９】
これにより、上蓋１１４および下蓋１１５が箱本体１１０の外側に倒れ込んで上下の突き当てが維持されなくなり圧縮荷重を支え切れなくなるといった事態も防がれ、圧縮荷重に対する収納箱１の耐力の維持が図られる。
【０１００】
また、収納箱１は、各開口部１１０ａが二重の壁で塞がれる構造となっており、この二重構造は開口１１０ａにおける圧縮荷重に対する耐力を強化している。
【０１０１】
また、上蓋１１４および下蓋１１５を被って閉じられる左扉１１６および右扉１１７は、上蓋折曲部１１４ｂおよび下蓋折曲部１１５ｂも被う。このように、収納箱１では、八角柱形状における角が落された４つの面取り部分においても、壁が二重構造となっており、圧縮荷重に対する耐力の強化が図られている。
【０１０２】
ここで、前述したように、閉じられたときの左扉１１６および右扉１１７の、互いに向き合う端縁側の上下の各隅部分には、上蓋１１４および下蓋１１５を露出させる切欠き１１６ａ，１１７ａが設けられている。そして、閉じられたときの左扉１１６および右扉１１７の合わせ目を張り合わす粘着テープ３０１（図１参照）は、この切欠き１１６ａ，１１７ａを横切ってこの合わせ目の上に貼付される。
【０１０３】
図９は、粘着テープで貼り合わされた左扉および右扉の、互いに向き合う下側の隅部分に設けられている切欠きの周辺を示す拡大図である。また、図１０は、粘着テープで貼り合わされた左扉および右扉の、互いに向き合う上側の隅部分に設けられている切欠きの周辺を示す拡大図である。
【０１０４】
収納箱１から収納物Ｔを取り出す際には、作業者は、左扉１１６および右扉１１７を開けるように、左扉１１６および右扉１１７を固定している粘着テープ３０１を切ることとなる。
【０１０５】
ここで、左扉１１６および右扉１１７に上記の切欠き１１６ａ，１１７ａが設けられていない場合、作業者は、左扉１１６や右扉１１７と上壁１１１との境界や、左扉１１６や右扉１１７と底壁１１２との境界で粘着テープ３０１を切る必要がある。このとき、左扉１１６や右扉１１７と底壁１１２との境界で粘着テープ３０１を切るために、作業者は、底壁１１２が見えるように収納箱１を持ち上げなければならない可能性が高い。
【０１０６】
これに対し、本実施形態では、左扉１１６および右扉１１７に上記の切欠き１１６ａ，１１７ａが設けられており、粘着テープ３０１は、これらの切欠き１１６ａ，１１７ａを横切ってこの合わせ目の上に貼付される。このため、作業者は、各切欠き１１６ａ，１１７ａを横切っている箇所で粘着テープ３０１を切れば、左扉１１６および右扉１１７を上壁１１１や底壁１１２から自由にすることができる。特に、左扉１１６および右扉１１７を底壁１１２から自由にする作業が、収納箱１を持ち上げることなく行われ、作業性が向上している。
【０１０７】
また、下側の切欠き１１７ａについては、作業者が収納箱１を持ち運ぶときの手掛かりとしても利用される。
【０１０８】
さらに、上側の切欠き１１６ａについては、粘着テープ３０１を切った後、作業者が左扉１１６や右扉１１７を開くときの手掛かりとしても利用される。
【０１０９】
さらに、本実施形態では、図２を参照して説明したように、上壁１１１の中央に、力が加えられるとミシン目が破れて四角形の穴が開く被開部１１１ａが設けられている。また、上蓋１１４には、力が加えられるとミシン目が破れてこの上蓋１１４から折り曲げられる折曲部１１４ａが設けられている。
【０１１０】
収納箱１から収納物Ｔを取り出すために開かれる扉のうち、上蓋１１４は、開いた後に作業者が手を離すと元に戻って再び開口１１０ａの上部を塞いでしまいがちである。
【０１１１】
上壁１１１の被開部１１１ａと上蓋１１４の折曲部１１４ａは、上壁１１１に重なるまで折り返されて開姿勢となった上蓋１１４が戻ってこないように、上蓋１１４をこの開姿勢に保持する保持片としての役割を果たす。
【０１１２】
尚、本実施形態では、収納箱として、２つの開口１１０ａそれぞれについて、上蓋１１４に折曲部１１４ａを設けた形態が例示されている。しかしながら、収納物Ｔの取り出しに当たり特定の一方の開口１１０ａを開くように収納箱１に表示しておき、折曲部１１４ａは、その一方の開口１１０ａについてのみ上蓋１１４に設けても良い。
【０１１３】
図１１は、開姿勢に保持されている上蓋を示す図である。また、図１２は、上蓋を開姿勢に保持している折曲部と被開部とを拡大して示す図である。
【０１１４】
各扉が開かれるに当たっては、作業者は、上壁１１１の被開部１１１ａを開いて穴を開けるとともに、上蓋１１４の折曲部１１４ａを折り曲げる。そして、作業者は、上蓋１１４を開姿勢まで開いたときに、折曲部１１４ａを、上壁１１１に開いた穴に差し込む。その結果、上蓋１１４が元に戻ろうとしても折曲部１１４ａが上壁１１１に開いた穴の縁に引っ掛かって、この元に戻ろうとする動きが阻止される。これにより、収納箱１から収納物Ｔを取り出す際に、一旦開いた上蓋１１４が元に戻って開口１１０ａの上部を塞ぐといった、作業者にとって非常に煩わしい事態が回避される。
【０１１５】
尚、本実施形態では、上方から見たときに、四角形の４つの角が落されて八角形となった八角柱形状の収納箱１が例示されている。しかしながら、収納箱の形状は、八角柱形状に限るものではない。収納箱の形状は、四角柱であっても良い。この場合、例えば本実施形態のように設けられた左右一対の上蓋折曲部１１４ｂは四角形の上壁の角の下に潜り込み、左右一対の下蓋折曲部１１５ｂは四角形の底壁の角の上に乗り上げることとなる。また、収納箱の形状は、上方から見たときに、四角形の４つの角のうちの１つ以上が落された、八角未満の多角形となった多角柱であっても良い。この場合、左右一対の上蓋折曲部１１４ｂのいずれかが上壁の角の下に潜り込み、左右一対の下蓋折曲部１１５ｂのいずれかが底壁の角の上に乗り上げることとなっても良い。また、収納箱の形状は、上方から見たときに、八角を超える多角形となった多角柱であっても良い。
【０１１６】
また、本実施形態では、収納箱として、緩衝材２００が上蓋１１４および下蓋１１５の内面に接する形態が挙げられている。しかしながら、収納箱は、緩衝材２００が上蓋１１４および下蓋１１５から離れており、上蓋１１４および下蓋１１５の内側への倒れ込みが、上蓋折曲部１１４ｂや下蓋折曲部１１５ｂのみによって防止された形態であっても良い。あるいは、左扉１１６や右扉１１７が上蓋１１４や下蓋１１５よりも内側に折り曲げられることにより、上蓋１１４や下蓋１１５は、緩衝材２００に、左扉１１６や右扉１１７を介して間接的に接する形態であってもよい。
【０１１７】
また、本実施形態では、収納箱として、左扉１１６および右扉１１７に切欠き１１６ａ，１１７ａが設けられている形態が例示されている。しかしながら、収納箱はこの形態に限るものではなく、左扉および右扉に上記の切欠きが設けられていない形態であっても良い。
【０１１８】
また本実施形態では、上下に分かれた２つの緩衝材を有するが、これらの緩衝材が一体となった１つの緩衝材であってもよい。すなわち本発明にいう支持部材は、一体的な部材であってもよく、本実施形態のような上下に分かれた一対の部材であってもよく、さらに多数に分かれた部材であってもよい。
【０１１９】
さらに、本実施形態では、収納箱として、上壁１１１に被開部１１１ａが設けられ、上蓋１１４に折曲部１１４ａが設けられている形態が例示されている。しかしながら、収納箱はこの形態に限るものではなく、上壁に被開部が設けられておらず、上蓋に折曲部１１４ａが設けられていない形態であっても良い。
【０１２０】
また、本実施形態では、収納箱として、緩衝材２００と箱本体１１０の内面との間に低密度ポリエチレンシート３０２が挟まれている形態が例示されている。しかしながら、収納箱はこの形態に限るものではなく、緩衝材が箱本体の内面に直に接している形態であっても良い。
【符号の説明】
【０１２１】
１    収納箱
１００    段ボール箱
１１０    箱本体
１１０ａ    開口
１１０ａ＿１    上縁部分
１１０ａ＿２    下縁部分
１１０ａ＿３    左縁部分
１１０ａ＿４    右縁部分
１１１    上壁
１１１ａ    被開部
１１２    底壁
１１３    側壁
１１４    上蓋
１１４ａ    折曲部
１１４ｂ，１１４ｂ’    上蓋折曲部
１１４ｃ，１１５ｃ    折曲線
１１４ｂ＿１，１１５ｂ＿１    端部折曲部
１１４ｂ’＿１    第１の折曲げ線
１１５    下蓋
１１５ｂ，１１５ｂ’    下蓋折曲部
１１５ｂ’＿１    第２の折曲げ線
１１６    左扉
１１６ａ，１１７ａ    切欠き
１１７    右扉
１５０    第１の段ボール部品
１５０ａ，１６０ａ    接合部
１６０    第２の段ボール部品
２００    緩衝材
３０１    粘着テープ
３０２    低密度ポリエチレンシート
【図１】
2014141283.tif 000003
【図２】
2014141283.tif 000004
【図３】
2014141283.tif 000005
【図４】
2014141283.tif 000006
【図５】
2014141283.tif 000007
【図６】
2014141283.tif 000008
【図７】
2014141283.tif 000009
【図８】
2014141283.tif 000010
【図９】
2014141283.tif 000011
【図１０】
2014141283.tif 000012
【図１１】
2014141283.tif 000013
【図１２】
2014141283.tif 000014